(57)【要約】【課題】  排気ガス中に含まれているＰＭ（粒子状物質）が車室内に侵入することを防止する。【解決手段】  まず、自車と前走車との車間距離を検出（Ｓ１００）し、その車間距離がＸ以内であるか否かを判定する（Ｓ１１０）。車間距離がＸ以内である場合、汚染しきい値を汚染しきい値Ａから汚染しきい値Ａよりも小さい汚染しきい値Ｂに変更する（Ｓ１２０）。ガス濃度が汚染しきい値Ｂを超えるか否かを判定し（Ｓ１３０）、ガス濃度が汚染しきい値Ｂを超える場合、内外気モードを自動的に内気モードに切り換える（Ｓ１４０）。車間距離がＸ以上である場合、ガス濃度が汚染しきい値Ａを超えるか否かを判定し（Ｓ１５０）、ガス濃度が汚染しきい値Ａを超える場合には内外気モードを内気モードに切り換え（Ｓ１４０）、超えない場合には外気モードに切り換える（Ｓ１６０）。【選択図】        図３
2005067531.tif 000002
【特許請求の範囲】
【請求項１】
自車（５）と前走車（６）との車間距離を検出する距離検出部（１）と、
外気の汚れ度合いを検出する汚れ検出部（２）と、
内外気モードを内気モードと外気モードとのいずれかに切り換える内外気切換部（３）と、
前記内外気切換部に対して内外気モードの切換指示を行う制御部（４）とを有する車両用空調装置において、
前記汚れ検出部は、前記外気の汚れ度合いを検出するための第１の検出手段を備えており、
前記制御部は、
前記距離検出部にて検出された前記車間距離が所定の車間距離よりも大きく、前記汚れ検出部にて検出された前記外気の汚れ度合いが、前記制御部に設定されている第１の所定汚れ度合いよりも小さいときに内外気モードを外気モードに切り換えるようになっており、
前記距離検出部にて検出された前記車間距離が前記所定の車間距離よりも小さいとき、前記制御部に設定されている前記第１の汚れ度合いを前記第１の汚れ度合いよりも小さい第２の汚れ度合いに変更し、前記汚れ検出部にて検出された前記外気の汚れ度合いが、前記第２の所定汚れ度合いよりも大きいときに内外気モードを内気モードに切り換えるようになっていることを特徴とする車両用空調装置。
【請求項２】
前記汚れ検出部は、前記外気の汚れ度合いを検出するための第１の検出手段と、前記第１の検出手段と同等の出力レベルを有する第２の検出手段とを備えており、
前記制御部は、
前記車間距離が前記所定の車間距離よりも大きく、前記第１の検出手段にて検出された前記外気の汚れ度合いが、第１の所定汚れ度合いよりも小さいときに内外気モードを外気モードに切り換えるようになっており、
前記車間距離が前記所定の車間距離よりも小さいとき、前記第２の検出手段にて検出された前記外気の汚れ度合いが、前記第１の所定汚れ度合いよりも小さい第２の所定汚れ度合いよりも大きいときに内外気モードを内気モードに切り換えるようになっていることを特徴とする請求項１に記載の車両用空調装置。
【請求項３】
前記汚れ検出部は、前記外気の汚れ度合いを検出するための第１の検出手段と、前記第１の検出手段よりも出力レベルが高い第２の検出手段とを備えており、
前記制御部は、
前記車間距離が前記所定の車間距離よりも大きく、前記第１の検出手段にて検出された前記外気の汚れ度合いが、所定汚れ度合いよりも小さいときに内外気モードを外気モードに切り換えるようになっており、
前記車間距離が前記所定の車間距離よりも小さいとき、前記第２の検出手段にて検出された前記外気の汚れ度合いが、前記所定汚れ度合いよりも大きいときに内外気モードを内気モードに切り換えるようになっていることを特徴とする請求項１に記載の車両用空調装置。
【請求項４】
前記制御部に設定されている前記所定の車間距離は、変更可能になっていることを特徴とする請求項１ないし３のいずれか１つに記載の車両用空調装置。
【請求項５】
前記制御部は、手動にて内気モードに切り換えられたときの車間距離を記憶して、その車間距離を所定の車間距離として設定し、前記所定の車間距離に応じて内外気モードの制御を行うようになっていることを特徴とする請求項１ないし４のいずれか１つに記載の車両用空調装置。
【発明の詳細な説明】
【技術分野】
【０００１】
本発明は、車両用空調装置であって、特に排気ガスオート内外気制御に関するものである。
【背景技術】
【０００２】
従来、排気ガスセンサにて排気ガス中に含まれているＨＣ、ＣＯ、ＮＯＸなどの排気ガス成分を検出して、自動的に車両用空調装置の内外気モードの切り換え制御を行う排気ガスオート内外気制御機能を有する車両用空調装置が提案されている（特許文献１参照）。
【０００３】
上記車両用空調装置では、車両に搭載された排気ガスセンサにて上記排気ガス成分を含む排気ガスのガス濃度をモニタする。そして、このガス濃度と、車両用空調装置に備えられている制御部にあらかじめ設定されている汚染しきい値とが比較され、検出されたガス濃度が汚染しきい値を超えるか否かが判定される。ここで、ガス濃度が汚染しきい値を超える場合には、内外気モードを自動的に内気モードに切り換える。このようにして、外気の汚れた空気を車室内に取り込まないようにしている。
【特許文献１】特開平１１−２２７４４４
【発明の開示】
【発明が解決しようとする課題】
【０００４】
しかしながら、排気ガス中には、上記排気ガス成分の他に、ＰＭ（粒子状物質）も含まれているが、排気ガスセンサは、このＰＭを検出することができない。また、排気ガス中にＰＭが多く含まれていても、排気ガス中に含まれている上記排気ガス成分が少ない場合がある。このような場合、検出されたガス濃度が汚染しきい値を超えず、内外気モードは外気モードのままになってしまい、ＰＭを含む排気ガスが車室内に取り込まれるという問題が生じている。
【０００５】
また、ＰＭを含む排気ガスは見た目に汚れているので、ユーザーが視覚的に外気の汚れを確認することができる。このとき、外気が汚れているように見えても、実際にはＨＣ、ＣＯ、ＮＯＸなどの排気ガス成分が少ない場合がある。このため、内外気モードが外気モードのままになってしまい、汚れていると確認された排気ガスが車室内に取り込まれてしまう。このように、視覚的に外気の汚れを確認したユーザーの内気モードになってほしいというフィーリングと、内外気モードの制御とが必ずしも一致していなかった。
【０００６】
本発明は、上記点に鑑み、排気ガス中に含まれているＰＭが車室に侵入することを防止して、乗員のフィーリングに合った内外気モードの切り換えを行うことができる車両用空調装置を提供することを目的とする。
【課題を解決するための手段】
【０００７】
上記目的を達成するため、請求項１に記載の発明では、自車（５）と前走車（６）との車間距離を検出する距離検出部（１）と、外気の汚れ度合いを検出する汚れ検出部（２）と、内外気モードを内気モードと外気モードとのいずれかに切り換える内外気切換部（３）と、内外気切換部に対して内外気モードの切換指示を行う制御部（４）とを有する車両用空調装置において、汚れ検出部は、外気の汚れ度合いを検出するための第１の検出手段を備えており、制御部は、距離検出部にて検出された車間距離が所定の車間距離よりも大きく、汚れ検出部にて検出された外気の汚れ度合いが、制御部に設定されている第１の所定汚れ度合いよりも小さいときに内外気モードを外気モードに切り換えるようになっており、距離検出部にて検出された車間距離が所定の車間距離よりも小さいとき、制御部に設定されている第１の汚れ度合いを第１の汚れ度合いよりも小さい第２の汚れ度合いに変更し、汚れ検出部にて検出された外気の汚れ度合いが、第２の所定汚れ度合いよりも大きいときに内外気モードを内気モードに切り換えるようになっていることを特徴としている。
【０００８】
このように、車間距離に応じて所定汚れ度合いを変更することにより、車間距離が小さい場合には、排気ガス成分がわずかでも含まれていれば内気モードになりやくなり、外気を車室内に取り込まないようにできる。これにより、排気ガス中の排気ガス成分が少なくＰＭが多く含まれている場合でも、内気モードになりやすくすることで、ＰＭを取り込むことを防止できる。また、車間距離が大きい場合には、所定汚れ度合いを大きくすることで、より外気モードになりやすくなる。
【０００９】
請求項２に記載の発明では、汚れ検出部は、外気の汚れ度合いを検出するための第１の検出手段と、第１の検出手段と同等の出力レベルを有する第２の検出手段とを備えており、制御部は、車間距離が所定の車間距離よりも大きく、第１の検出手段にて検出された外気の汚れ度合いが、第１の所定汚れ度合いよりも小さいときに内外気モードを外気モードに切り換えるようになっており、車間距離が所定の車間距離よりも小さいとき、第２の検出手段にて検出された外気の汚れ度合いが、第１の所定汚れ度合いよりも小さい第２の所定汚れ度合いよりも大きいときに内外気モードを内気モードに切り換えるようになっていることを特徴としている。
【００１０】
このように、出力レベルが同等である２つの検出手段を用いて、それぞれの検出手段に対して所定汚れ度合いを設定することもできる。これにより、車間距離が小さい場合には、一方の検出手段に対する所定汚れ度合いを他方よりも小さくすることにより、内外気モードは内気モードになりやすくなる。このように、車間距離が小さい場合には、内気モードになりやすくすることで、排気ガスに含まれているＰＭを車室内に取り込むことを防止することができる。
【００１１】
請求項３に記載の発明では、汚れ検出部は、外気の汚れ度合いを検出するための第１の検出手段と、第１の検出手段よりも出力レベルが高い第２の検出手段とを備えており、制御部は、車間距離が所定の車間距離よりも大きく、第１の検出手段にて検出された外気の汚れ度合いが、所定汚れ度合いよりも小さいときに内外気モードを外気モードに切り換えるようになっており、車間距離が所定の車間距離よりも小さいとき、第２の検出手段にて検出された外気の汚れ度合いが、所定汚れ度合いよりも大きいときに内外気モードを内気モードに切り換えるようになっていることを特徴としている。
【００１２】
このように、車間距離に応じて、出力レベルの異なる２つの検出手段を用いることができる。これにより、車間距離が小さい場合には、出力レベルが高い検出手段を用いることにより、内気モードになりやすくなり、排気ガスに含まれているＰＭを車室内に取り込むことを防止することができる。
【００１３】
請求項４に記載の発明では、制御部に設定されている所定の車間距離は変更可能になっていることを特徴としている。
【００１４】
このように、所定の車間距離を自由に変更することができる。すなわち、ユーザーがより内気モードにしたい場合には、所定の車間距離を大きく設定し、ユーザーがより外気モードにしたい場合には、所定の車間距離を小さく設定することで、ユーザーに合った内外気モードの切り換えを行うことができる。
【００１５】
請求項５に記載の発明では、制御部は、手動にて内気モードに切り換えられたときの車間距離を記憶して、その車間距離を所定の車間距離に設定し、所定の車間距離に応じて内外気モードの制御を行うようになっていることを特徴としている。
【００１６】
これにより、ユーザーがオート内外気モードを選択した場合、内気モードに切り換えられたときに記憶された車間距離に基づいて内外気モードを切り換えるようにすることができる。
【００１７】
なお、上記各手段の括弧内の符号は、後述する実施形態に記載の具体的手段との対応関係を示すものである。
【発明を実施するための最良の形態】
【００１８】
（第１実施形態）
以下、本発明の第１実施形態を図に基づいて説明する。図１は、本発明における車両用空調装置を備えている車両の概略図である。車両用空調装置は、距離検出部１と、汚れ検出部２と、内外気切換部３と、制御部４とを備えて構成されている。
【００１９】
距離検出部１は、自車５と前走車６との車間距離を検出するものであり、例えばミリ波レーダーを備えて構成されている。距離検出部１は、このミリ波レーダーを前走車６に照射して、その反射光を受信することにより、自車５と前走車６との車間距離を検出する。そして、距離検出部１にて検出された車間距離情報は、制御部４に送信される。
【００２０】
汚れ検出部２は、外気中に含まれる排気ガス成分の汚れ度合いの大きさ（ガス濃度）を検出するものである。本実施形態では、汚れ検出部２には、１つの排気ガスセンサ（第１の検出手段）が備えられている。具体的には、排気ガスセンサは半導体式のもので、例えばＳｎＯ２を用いたガスセンサにて外気中に含まれているＨＣ、ＣＯ、ＮＯＸなどの排気ガス成分のガス濃度を検出する。この排気ガスセンサ２にて検出されたガス濃度が高いほど、外気が汚れていることに対応する。この排気ガスセンサ２にて検出された外気のガス濃度の情報は、制御部４に送信される。
【００２１】
内外気切換部３は、制御部４からの指示を受けて、内外気モードを内気モードもしくは外気モードに切り換える周知のものである。内外気切換部３には、図示しない内外気切換ドアが設けられており、この内外気切換ドアによって外気が導入または遮断されるようになっている。
【００２２】
制御部４は、空調制御に係わる制御プログラムや各種演算式等が記憶されたマイクロコンピュータの他に、ＲＯＭ、ＲＡＭ、Ｉ／Ｏポート、Ａ／Ｄ変換器等（いずれも図示しない）を内蔵する周知のものである。この制御部４には、図示しない入力装置（例えば空調操作パネル）が備えられており、手動にて内外気モードの切り換えを行うことが可能になっている。
【００２３】
制御部４には、排気ガスセンサ２から入力されるガス濃度に対して汚染しきい値（所定汚れ度合い）が設定されている。そして、排気ガスセンサにて検出された外気のガス濃度が、この制御部４に設定されている汚染しきい値を超えると、制御部４は内外気モードを内気モードに切り換えるように内外気切換部３に指示を送るようになっている。
【００２４】
具体的には、汚染しきい値は、自車５と前走車６との車間距離があらかじめ制御部４に設定されている所定の車間距離に応じて変更されるようになっている。例えば所定の車間距離をＸとすると、図２に示すように、車間距離がＸ以上の場合には汚染しきい値Ａ（第１の所定汚れ度合い）、車間距離がＸ以内の場合には汚染しきい値が汚染しきい値Ａよりも小さい汚染しきい値Ｂ（第２の所定汚れ度合い）に変更される。そして、上述のように、ガス濃度が汚染しきい値Ａもしくは汚染しきい値Ｂを超えると、制御部４は内外気モードを内気モードに切り換えるように内外気切換部３に指示を送るようになっている。
【００２５】
このように、車間距離に応じて汚染しきい値を変更しているのは、車間距離によって前走車６からの排気ガスの影響が異なるためである。特に、車間距離が小さい場合には、外気に排気ガス成分が少しでも含まれていたら、内外気モードを内気モードに切り換えて外気を取り込まないようにしている。これにより、外気にＰＭが含まれていても、車室内に取り込まれることを防止できる。また、車間距離が大きい場合（Ｘ以上）、前走車６からの排気ガスの影響が小さいので、汚染しきい値Ａを高めに設定して外気モードになりやすくしておき、外気が車室に取り込まれるようにしている。
【００２６】
ここで、車間距離はＸとされているが、この車間距離はユーザーによって任意の車間距離に変更されても構わない。つまり、ユーザーが内外気モードをより内気モードにしたい場合には、車間距離をＸよりも大きいＸ１に設定する。これにより、車間距離が大きくても、内気モードになりやすくなる。一方、ユーザーが内外気モードをより外気モードにしたい場合には、車間距離をＸよりも短いＸ２に設定する。これにより、自車５が前走車６に近づいても内気モードになりにくくなる。
【００２７】
このようにユーザーによって設定された車間距離（例えばＸ１）が車間距離Ｘとなり、変更された車間距離Ｘに基づいて内外気モードの切り換えが行われる。車間距離Ｘは例えば２０ｍに設定されており、上述のように、ユーザーが車間距離を自由に変更することが可能になっている。
【００２８】
また、ユーザーが図示しない空調操作パネルを操作して、手動で内気モードに切り換えると、制御部４はそのときの自車５と前走車６との車間距離を記憶し、次回からはその車間距離に基づいて、排気ガスのガス濃度と汚染しきい値との比較を行う。このように、制御部４は学習機能を備えている。
【００２９】
次に上記制御部４の作動を図３のフローチャートに基づいて説明する。なお、図示しない空調操作パネルの内外気切換スイッチ（マニュアルで内外気モードを設定するスイッチ）にて内外気モードが決定されているときには、以下のフローチャートは実行されないようになっている。
【００３０】
また、車間距離Ｘは、図３に示すフローチャートが実行される前に設定されており、この車間距離Ｘに基づいてフローチャートが実行される。
【００３１】
まず、フローチャートが開始されると、ステップ１００では、自車５と前走車６との車間距離を検出し、ステップ１１０では、自車５と前走車６との車間距離がＸ以内であるか否かを判定する。そして、ＹＥＳの場合には、ステップ１２０に進む。
【００３２】
ステップ１１０では、距離検出部１にて自車５と前走車６との車間距離がＸ以内であるか否かを判定している。このとき、車間距離は、ミリ波レーダーが前走車６に照射されて、前走車６からの反射光が検出されることにより車間距離が求められる。そして車間距離情報は制御部４に送信される。
【００３３】
このように、車間距離を検出するのは、自車５と前走車６との車間距離が大きい場合、前走車６から排出される排気ガスの影響が小さいので、汚染しきい値を変更する必要がないからである。また、自車５と前走車６との車間距離が小さい場合、汚染しきい値を汚染しきい値Ａから汚染しきい値Ｂに下げることにより、検出されるガス濃度が低くても、内気モードになりやすくなっている。
【００３４】
ステップ１２０では、自車５と前走車６との車間距離がＸ以内である場合、内外気モードが外気モードになりにくくなるように、制御部４に設定されている汚染しきい値を汚染しきい値Ａから汚染しきい値Ｂに変更する。そして、ステップ１３０では、排気ガスのガス濃度が汚染しきい値Ｂを超えるか否かを判定し、ＹＥＳの場合には、ステップ１４０に進む。
【００３５】
ステップ１３０では、ステップ１２０にて汚染しきい値を汚染しきい値Ａから汚染しきい値Ｂに変更して、ガス濃度が汚染しきい値Ｂを超えるか否かを判定している。このように、汚染しきい値をあまくして内気モードになりやすくすることにより、外気中に含まれているＨＣ、ＣＯ、ＮＯＸの他に、ＰＭも車室内に取り込むことを防止することができる。
【００３６】
ステップ１４０では、内外気モードを自動的に内気モードに切り換える。そして、ステップ１００に戻る。
【００３７】
ステップ１１０にて、自車５と前走車６との車間距離がＸ以上であった場合、ステップ１５０に進む。ステップ１５０では、排気ガスのガス濃度が汚染しきい値Ａを超えるか否かを判定し、ＹＥＳの場合にはステップ１４０に進み、内外気モードを自動的に内気モードに切り換える。そして、ステップ１００に戻る。
【００３８】
ステップ１５０では、自車５と前走車６との車間距離がＸ以上であり、前走車６からの排気ガスの影響が小さいと考えられるので、汚染しきい値Ａを変更する必要はなく、ガス濃度が汚染しきい値Ａを超えるか否かを判定している。
【００３９】
ステップ１５０にて排気ガス中のガス濃度が汚染しきい値Ａを超えなかった場合、ステップ１６０に進む。ステップ１６０では、内外気モードを自動的に外気モードに切り換える。そして、ステップ１００に戻る。
【００４０】
以上のようにして、車間距離Ｘに応じて汚染しきい値を変化させ、内外気モードの切り換えを行っている。
【００４１】
このように、自車５と前走車６との車間距離に応じて、特に車間距離が小さい場合、汚染しきい値Ａを汚染しきい値Ａよりも低い汚染しきい値Ｂに変更することで、検出されるガス濃度が低いとしても、内気モードになりやすくなるようにすることができる。
【００４２】
したがって、自車５と前走車６との車間距離が小さい場合には、排気ガス中にＨＣ、ＣＯ、ＮＯＸなどの排気ガス成分がわずかしか含まれていなかったとしても、内外気モードを内気モードに切り換えることにより、外気を車室内に取り込まないようにしている。したがって、車間距離が小さい場合には、内気モードになりやすくなり、排気ガスに含まれている可能性があるＰＭも、車室内に取り込むことを防止することができる。このように、排気ガスが見た目に汚れていて、ユーザーが内気モードになってほしいと感じたときに、ユーザーのフィーリングに合った内外気モードの切り換えを実現することができる。
【００４３】
（第２実施形態）
本実施形態では、第１実施形態と異なる部分についてのみ説明する。本実施形態では、汚れ検出部２に２つの排気ガスセンサを備えていることが、第１実施形態と異なる。本実施形態では、同等の性能を有する２つの排気ガスセンサが用いられており、制御部４にはそれぞれの排気ガスセンサに対してそれぞれ異なる汚染しきい値が設定されている。なお、ここでいう同等の性能とは、排気ガスセンサの感度が同等であり、検出されたガス濃度の出力レベルが同等であることを示している。
【００４４】
それぞれの排気ガスセンサの汚染しきい値は、例えば排気ガスセンサＡ（第１の検出手段）には汚染しきい値Ａ（第１の所定汚れ度合い）、排気ガスセンサＢ（第２の検出手段）には汚染しきい値Ｂ（第２の所定汚れ度合い）が設定されており、汚染しきい値Ａが汚染しきい値Ｂよりも大きくなるように設定されている。
【００４５】
本実施形態の場合、それぞれの排気ガスセンサにて検出されるガス濃度に対して、それぞれの汚染しきい値を制御部４に設定している。そのため、本実施形態の作動では、汚染しきい値を変更する必要はないので、図４に示すように、図３に示したフローチャートのステップ１２０が除外されている。
【００４６】
次に、本実施形態の作動について、図４に示すフローチャートに基づいて説明する。なお、第１実施形態と同じステップの説明を省略し、第１実施形態と異なるステップ（Ｓ２３０、Ｓ２５０）のみを説明する。
【００４７】
本実施形態では、ステップ１１０にて車間距離がＸ以内である場合、ステップ２３０では、排気ガスセンサＢにて検出されたガス濃度が、汚染しきい値Ｂを超えるか否かを判定し、ＹＥＳの場合にはステップ１４０に進む。
【００４８】
ステップ２３０では、汚染しきい値Ｂは汚染しきい値Ａよりもあまくなっているため、排気ガスセンサＢにて検出されたガス濃度が、汚染しきい値Ｂを超えやすくなっている。したがって、検出されたガス濃度が低くても内気モードになりやすくなる。
【００４９】
また、車間距離がＸ以上である場合、ステップ２５０では、排気ガスセンサＡにて検出されたガス濃度が汚染しきい値Ａを超えるか否かを判定し、ＹＥＳの場合にはステップ１４０に進む。
【００５０】
ステップ２５０では、汚染しきい値Ｂよりも大きい汚染しきい値Ａにてガス濃度をモニタしている。このため、ガス濃度が大きくても、内気モードになりにくくなっている。
【００５１】
したがって、第１実施形態と同様に、車間距離が小さく、排気ガス成分が少しでも含まれている場合には、内外気モードを内気モードに切り換えることにより、ＰＭが車室内に取り込まれることを防止できる。また、見た目に汚れている外気を取り込まないことで、ユーザーのフィーリングに合った内外気切り換えを行うことができる。
【００５２】
（第３実施形態）
本実施形態では、第１および第２実施形態と異なる部分についてのみ説明する。本実施形態も、第２実施形態と同様に、汚れ検出部２は２つの排気ガスセンサを備えている。ただし、これら排気ガスセンサの性能は異なる。なお、ここでいう性能の違いとは、排気ガスセンサの感度が異なり、検出されたガス濃度の出力レベルが異なることを示している。
【００５３】
すなわち、これら排気ガスセンサのうち、一方の排気ガスセンサの出力レベルは低く、他方の排気ガスセンサの出力レベルは高い。このように、本実施形態では、２つの排気ガスセンサの性能の違いを利用している。
【００５４】
また、第２実施形態では、２つの排気ガスセンサにて検出されたガス濃度に対してそれぞれ異なる汚染しきい値を設定している。しかし、本実施形態では、２つの排気ガスセンサを用いているが、設定する汚染しきい値（所定汚れ度合い）は１つであることが第２実施形態と異なっている。
【００５５】
すなわち、自車５と前走車６との車間距離がＸ以上の場合には、性能の低い排気ガスセンサＡ（第１の検出手段）を用いる。つまり、高いガス濃度であっても汚染しきい値を超えないようにして、外気モードになりやすくする。また、車間距離がＸ以内の場合には、性能の高い排気ガスセンサＢ（第２の検出手段）を用いる。これにより、低いガス濃度であっても汚染しきい値を超えるようにして、内気モードになりやすくする。
【００５６】
さらに、本実施形態の場合、車間距離に応じて性能の異なる排気ガスセンサが用いられるため、第２実施形態と同様に、図３に示すフローチャートのステップ１２０が除外されている。
【００５７】
次に、本実施形態の作動について、図５に示すフローチャートに基づいて説明する。なお、第１および第２実施形態と同じステップの説明を省略し、第１および第２実施形態と異なるステップ（Ｓ３３０、Ｓ３５０）のみを説明する。
【００５８】
本実施形態では、ステップ１１０にて車間距離がＸ以内である場合、ステップ３３０では、排気ガスセンサＡよりも性能が高い排気ガスセンサＢにてガス濃度を検出し、汚染しきい値を超えるか否かを判定する。これにより、低いガス濃度でも汚染しきい値を超えやすくなり、内気モードになりやすくなる。
【００５９】
また、車間距離がＸ以上である場合、ステップ３５０では、排気ガスセンサＢよりも性能が低い排気ガスセンサＡにてガス濃度を検出し、汚染しきい値を超えるか否かを判定する。これにより、外気モードになりやすくなる。
【００６０】
このように、１つの汚染しきい値を設定しておいて、性能の異なる２つの排気ガスセンサを用いても、第１および第２実施形態と同様の効果を得ることができる。したがって、車間距離が小さく、性能の高い排気ガスセンサにて検出されたガス濃度が、汚染しきい値を超える場合、内外気モードを内気モードに切り換えることにより、外気が車室内に取り込まれることを防止できる。これにより、ＰＭが含まれている可能性がある外気を取り込まないようにすることができ、見た目に汚れている外気を取り込まないことで、ユーザーのフィーリングに合った内外気切り換えを実現できる。
【００６１】
（他の実施形態）
第１〜第３実施形態では、距離検出部１に例えばミリ波レーダーを用いているが、画像処理機能を備えているＣＣＤカメラを用いてもよい。このように、ＣＣＤカメラにて前走車６を撮影し、自車５と前走車６との車間距離を求めることもできる。
【００６２】
また、第１実施形態において、車間距離に対して汚染しきい値が汚染しきい値Ａから汚染しきい値Ｂに変更されるが、車間距離に対して汚染しきい値をリニアに変化させてもよい。このようにしても、第１実施形態と同様の作動を行うことができる。このように、車間距離に応じて汚染しきい値をリニアに変化させることにより、より外気の汚れに応じた内外気切り換えを行うことが可能である。
【図面の簡単な説明】
【００６３】
【図１】本発明の車両用空調装置を備えた車両の概略図である。
【図２】第１実施形態におけるガス濃度と汚染しきい値との関係を示した図である。
【図３】第１実施形態の内外気切り換えの内容を表すフローチャートである。
【図４】第２実施形態の内外気切り換えの内容を表すフローチャートである。
【図５】第３実施形態の内外気切り換えの内容を表すフローチャートである。
【符号の説明】
【００６４】
１…距離検出部、２…汚れ検出部、３…内外気切換部、
４…制御部、５…自車、６…前走車。
【図１】
2005067531.tif 000003
【図２】
2005067531.tif 000004
【図３】
2005067531.tif 000005
【図４】
2005067531.tif 000006
【図５】
2005067531.tif 000007